【手続補正書】
【提出日】平成20年12月15日(2008.12.15)
【手続補正１】
【補正対象書類名】特許請求の範囲
【補正対象項目名】全文
【補正方法】変更
【補正の内容】
【特許請求の範囲】
【請求項１】
光記憶媒体に書き込むためのレーザデバイスに対する最適パラメータ値を決定する方法であって、
前記光記憶媒体に光学書込ヘッドを用いて所定のデータパターンを書き込むステップと、
前記所定のデータパターンに関するジッタ値を測定するステップと、
前記光記憶媒体にデータを書き込むための前記レーザデバイスの、該光記憶媒体に関する前記ジッタ値を最適化する最適動作出力パラメータ値を、前記測定されたジッタ値に依存して選択するステップと、
を有する方法において、
前記媒体の第１の走査において前記光記憶媒体に前記所定のデータパターンを書き込む間に、前記光学書込ヘッドの動作光学経路パラメータ値が第１の所定のプロファイルに従って変化され、前記媒体の第２の走査において前記光記憶媒体に前記所定のデータパターンを書き込む間に、前記光学書込ヘッドの前記動作光学経路パラメータ値が前記第１の所定のプロファイルとは異なる第２の所定のプロファイルに従って変化されることを特徴とする方法。
【請求項２】
光記憶媒体から読み取るためのレーザデバイスに対する最適パラメータ値を決定する方法であって、
前記光記憶媒体から光学読取ヘッドを用いて所定のデータパターンを読み取るステップと、
前記所定のデータパターンに関するジッタ値を測定するステップと、
前記光記憶媒体からデータを読み取るための前記レーザデバイスの、該光記憶媒体に関する前記ジッタ値を最適化する最適動作出力パラメータ値を、前記測定されたジッタ値に依存して選択するステップと、
を有する方法において、
前記媒体の第１の走査において前記光記憶媒体から前記所定のデータパターンを読み取る間に、前記光学読取ヘッドの動作光学経路パラメータ値が第１の所定のプロファイルに従って変化され、前記媒体の第２の走査において前記光記憶媒体から前記所定のデータパターンを読み取る間に、前記光学読取ヘッドの前記動作光学経路パラメータ値が前記第１の所定のプロファイルとは異なる第２の所定のプロファイルに従って変化されることを特徴とする方法。
【請求項３】
請求項１又は請求項２に記載の方法において、前記所定のプロファイルが複数の動作光学経路パラメータ値ステップを有している方法。
【請求項４】
請求項３に記載の方法において、前記第１及び第２の所定のプロファイルにおける前記動作光学経路パラメータ値ステップの各々に対して少なくとも１つのジッタ値が測定される方法。
【請求項５】
請求項４に記載の方法において、前記最適動作光学経路パラメータ値を選択するステップが、
前記第１及び第２の所定のプロファイルにおける動作光学経路パラメータ値の範囲にわたって、前記ジッタ値を前記動作光学経路パラメータ値に関係させる関数を決定するステップと、
前記関数から、前記ジッタ値を最小にする最適動作光学経路パラメータ値を決定するステップと、
を有する方法。
【請求項６】
請求項５に記載の方法において、前記ジッタ値を前記動作光学経路パラメータ値に関係させる関数を決定するステップが、
連続する動作光学経路パラメータ値の各対に対して、平均動作光学経路パラメータ値と、前記連続する動作光学経路パラメータ値に対応するジッタ値の平均ジッタ値とを得るステップと、
前記平均ジッタ値を前記平均動作光学経路パラメータ値に関係させる関数を決定するステップと、
を有する方法。
【請求項７】
請求項５に記載の方法において、前記ジッタ値を前記動作光学経路パラメータ値に関係させる関数を決定するステップが、
連続する動作光学経路パラメータ値の各三つ組みに対して、平均動作光学経路パラメータ値と、前記連続する動作光学経路パラメータ値に対応するジッタ値の平均ジッタ値とを得るステップと、
前記平均ジッタ値を前記平均動作光学経路パラメータ値に関係させる関数を決定するステップと、
を有する方法。
【請求項８】
請求項５に記載の方法において、前記ジッタ値を前記動作光学経路パラメータ値に関係させる関数を決定するステップが、
連続する動作光学経路パラメータ値の各対に対して、平均動作光学経路パラメータ値と、これら連続する動作光学経路パラメータ値に対応するジッタ値の平均ジッタ値とを得るステップと、
連続する動作光学経路パラメータ値の各三つ組みに対して、平均動作光学経路パラメータ値と、これら連続する動作光学経路パラメータ値に対応するジッタ値の平均ジッタ値とを得るステップと、
前記平均ジッタ値を前記平均動作光学経路パラメータ値に関係させる関数を決定するステップと、
を有する方法。
【請求項９】
請求項６、７又は８に記載の方法において、前記関数はσ＝ａＰ２＋ｂＰ＋Ｃなる形の二次関数であり、ここで、σはジッタ値を表し、Ｐは前記動作光学経路パラメータ値を表し、ａ、ｂ及びｃは定数であり、前記最適動作光学経路パラメータ値が前記関数の微分を零に設定することにより決定される（ｄσ／ｄＰ＝０、Ｐoptimum＝−ｂ／２ａ）方法。
【請求項１０】
請求項１ないし９の何れか一項に記載の方法において、前記光記憶媒体は該媒体内に規定されたプリグルーブフレーム（ＡＤＩＰ）内にアドレスを有するディスクであり、前記動作光学経路パラメータ値が該ディスクのＡＤＩＰフレーム毎に変化される方法。
【請求項１１】
請求項１ないし１０の何れか一項に記載の方法において、前記光記憶媒体は該媒体内に規定されたプリグルーブフレーム内に絶対時間を有するディスクであり、前記動作光学経路パラメータ値が該ディスクのＡＴＩＰフレーム毎に変化される方法。
【請求項１２】
請求項１ないし１１の何れか一項に記載の方法において、前記光記憶媒体がＣＤ−Ｒ、ＣＤ−ＲＷ、ＤＶＤ−Ｒ、ＤＶＤ−ＲＷ、ＤＶＤ−Ｒ＿ＤＬ、ＤＶＤ−ＲＷ＿ＤＬ、ＤＶＤ＋Ｒ、ＤＶＤ＋ＲＷ、ＤＶＤ＋Ｒ＿ＤＬ、ＤＶＤ＋ＲＷ＿ＤＬ、ＤＶＤ−ＲＡＭ又はブルーレイディスクのうちの１つを有する方法。
【請求項１３】
請求項１ないし１２の何れか一項に記載の方法において、前記所定のデータパターンが前記光記憶媒体のテスト領域に形成される方法。
【請求項１４】
請求項１ないし１３の何れか一項に記載の方法において、前記動作光学経路パラメータ値が、前記光学書込／読取ヘッドからの光経路の使用中の前記光記憶媒体への入射角を含む方法。
【請求項１５】
請求項１ないし１３の何れか一項に記載の方法において、前記動作光学経路パラメータ値が前記光学書込／読取ヘッドと使用中の前記光記憶媒体との間の光学経路長を含む方法。
【請求項１６】
光記憶媒体に書き込むためのレーザデバイスに対する最適パラメータ値を決定する装置であって、
前記光記憶媒体に所定のデータパターンを書き込むことが可能な光学書込ヘッドと、
前記所定のデータパターンに関するジッタ値を測定する手段と、
前記光記憶媒体にデータを書き込むための前記レーザデバイスの、該光記憶媒体に関する前記ジッタ値を最適化する最適動作パラメータ値を、前記測定されたジッタ値に依存して選択する手段と、
を有する装置において、
前記光記憶媒体に対する前記光学書込ヘッドの動作光学経路パラメータ値を変更して、前記媒体の第１の走査において前記光記憶媒体に前記所定のデータパターンを書き込む間に、前記光学書込ヘッドの前記動作光学経路パラメータ値を第１の所定のプロファイルに従って変化させると共に、前記媒体の第２の走査において前記光記憶媒体に前記所定のデータパターンを書き込む間に、前記光学書込ヘッドの前記動作光学経路パラメータ値を前記第１の所定のプロファイルとは異なる第２の所定のプロファイルに従って変化させる調整手段を有することを特徴とする装置。
【請求項１７】
光記憶媒体から読み取るためのレーザデバイスに対する最適パラメータ値を決定する装置であって、
前記光記憶媒体から所定のデータパターンを読み取る光学読取ヘッドと、
前記所定のデータパターンに関するジッタ値を測定する手段と、
前記光記憶媒体からデータを読み取るための前記レーザデバイスの、該光記憶媒体に関する前記ジッタ値を最適化する最適動作パラメータ値を、前記測定されたジッタ値に依存して選択する手段と、
を有する装置において、
前記光記憶媒体に対する前記光学読取ヘッドの動作光学経路パラメータ値を変更して、前記媒体の第１の走査において前記光記憶媒体から前記所定のデータパターンを読み取る間に、前記光学読取ヘッドの動作光学経路パラメータ値を第１の所定のプロファイルに従って変化させると共に、前記媒体の第２の走査において前記光記憶媒体から前記所定のデータパターンを読み取る間に、前記光学読取ヘッドの前記動作光学経路パラメータ値を前記第１の所定のプロファイルとは異なる第２の所定のプロファイルに従って変化させる調整手段を有することを特徴とする装置。
【請求項１８】
請求項１６又は請求項１７に記載の装置において、前記最適動作光学経路パラメータ値を選択する手段が、
前記第１及び第２の所定のプロファイルにおける動作光学経路パラメータ値の範囲にわたって、前記ジッタ値を前記動作光学経路パラメータ値に関係させる関数を決定する手段と、
前記関数から、前記ジッタ値を最小にする最適動作光学経路パラメータ値を決定する手段と、
を有する装置。
【請求項１９】
請求項１８に記載の装置において、前記ジッタ値を前記動作光学経路パラメータ値に関係させる関数を決定する手段が、
連続する動作光学経路パラメータ値の各対に対して、平均動作光学経路パラメータ値と、前記連続する動作光学経路パラメータ値に対応するジッタ値の平均ジッタ値とを得る手段と、
前記平均ジッタ値を前記平均動作光学経路パラメータ値に関係させる関数を決定する手段と、
を有する装置。
【請求項２０】
請求項１８に記載の装置において、前記ジッタ値を前記動作光学経路パラメータ値に関係させる関数を決定する手段が、
連続する動作光学経路パラメータ値の各三つ組みに対して、平均動作光学経路パラメータ値と、前記連続する動作光学経路パラメータ値に対応するジッタ値の平均ジッタ値とを得る手段と、
前記平均ジッタ値を前記平均動作光学経路パラメータ値に関係させる関数を決定する手段と、
を有する装置。
【請求項２１】
請求項１８に記載の装置において、前記ジッタ値を前記動作光学経路パラメータ値に関係させる関数を決定する手段が、
連続する動作光学経路パラメータ値の各対に対して、平均動作光学経路パラメータ値と、これら連続する動作光学経路パラメータ値に対応するジッタ値の平均ジッタ値とを得る手段と、
連続する動作光学経路パラメータ値の各三つ組みに対して、平均動作光学経路パラメータ値と、これら連続する動作光学経路パラメータ値に対応するジッタ値の平均ジッタ値とを得る手段と、
前記平均ジッタ値を前記平均動作光学経路パラメータ値に関係させる関数を決定する手段と、
を有する装置。
【請求項２２】
請求項１６ないし２１の何れか一項に記載の装置において、前記光記憶媒体は該媒体内に規定されたプリグルーブフレーム（ＡＤＩＰ）内にアドレスを有するディスクであり、前記調整手段が前記動作光学経路パラメータ値を該ディスクのＡＤＩＰフレーム毎に変化させる装置。
【請求項２３】
請求項１６ないし２２の何れか一項に記載の装置において、前記光記憶媒体は該媒体内に規定されたプリグルーブフレーム内に絶対時間を有するディスクであり、前記調整手段が前記動作光学経路パラメータ値を該ディスクのＡＴＩＰフレーム毎に変化させる装置。
【請求項２４】
請求項１６ないし２３の何れか一項に記載の装置において、前記光記憶媒体がＣＤ−Ｒ、ＣＤ−ＲＷ、ＤＶＤ−Ｒ、ＤＶＤ−ＲＷ、ＤＶＤ−Ｒ＿ＤＬ、ＤＶＤ−ＲＷ＿ＤＬ、ＤＶＤ＋Ｒ、ＤＶＤ＋ＲＷ、ＤＶＤ＋Ｒ＿ＤＬ、ＤＶＤ＋ＲＷ＿ＤＬ、ＤＶＤ−ＲＡＭ又はブルーレイディスクのうちの１つを有する装置。
【請求項２５】
請求項１６ない２４の何れか一項に記載の装置において、前記所定のデータパターンが前記光記憶媒体のテスト領域に形成される装置。
【請求項２６】
請求項１６ないし２５の何れか一項に記載の装置において、前記動作光学経路パラメータ値が、前記光学書込／読取ヘッドからの光経路の使用中の前記光記憶媒体への入射角を含む装置。
【請求項２７】
請求項１６ないし２５の何れか一項に記載の装置において、前記動作光学経路パラメータ値が前記光学書込／読取ヘッドと使用中の前記光記憶媒体との間の光学経路長を含む装置。
【請求項２８】
請求項１ないし１１の何れか一項に記載の方法により作製される光記憶媒体。